(57)【要約】【課題】  コンクリートの打設工程においても、その取付位置及び取り付け方向が安定して所期の状態に保たれ得るコンクリート型枠用スペーサーを、作業時間を大幅に削減することができる取り付け容易な態様で、安価且つ簡易な構成によって提供すること。【解決手段】  所定幅を有する長手状の板材で構成した支持板金具１２を湾曲状に折り返して掛止部１６を設ける一方、一対の折返し部をそれぞれブロック支持アーム１８とガイドアーム２０とすると共に、ブロック支持アーム１８の下端部を屈曲せしめることで固着部２６を形成し、かかる固着部にコンクリート製のスペーサーブロック１４を固着せしめてブロック支持アーム１８に突設した。【選択図】  図７
2005264436.tif 000002
【特許請求の範囲】
【請求項１】
所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向先端部が屈曲せしめられて固着部とされており、該固着部に対してコンクリート製のスペーサーブロックが固着されて該スペーサーブロックが該ブロック支持アームの長手方向先端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して前記鉄筋を案内して該鉄筋に掛止支持させることが出来るようになっていると共に、かかる掛止支持状態下で該スペーサーブロックが該鉄筋の配筋面から設定かぶり厚さだけ突出せしめられて該スペーサーブロックの突出先端面によってコンクリート型枠を位置決めすることが出来るようになっていることを特徴とするコンクリート型枠用スペーサー。
【請求項２】
前記掛止部の開口部分を絞って、該掛止部の開口部分の隙間寸法を前記鉄筋の外径寸法よりも小さくした請求項１に記載のコンクリート型枠用スペーサー。
【請求項３】
前記掛止部を前記鉄筋に掛止支持せしめた状態下において、前記ガイドアームの突出先端部がコンクリート型枠に対して当接せしめられるようになっている請求項１又は２に記載のコンクリート型枠用スペーサー。
【請求項４】
前記スペーサーブロックの突出先端面が、平面とされている請求項１乃至３の何れかに記載のコンクリート型枠用スペーサー。
【請求項５】
前記スペーサーブロックが、前記支持アームに対して前記ガイドアームの配設側と反対側に向かって突出形成されている請求項１乃至４の何れかに記載のコンクリート型枠用スペーサー。
【請求項６】
前記掛止部を前記鉄筋に掛止支持せしめた状態下において別の鉄筋に対して係止可能な係止片を、該ブロック支持アームの先端部分に一体形成した請求項１乃至５の何れかに記載のコンクリート型枠用スペーサー。
【請求項７】
前記スペーサーブロックが、前記ブロック支持アームの板厚方向両側に向かってそれぞれ突出形成されている請求項１乃至６の何れかに記載のコンクリート型枠用スペーサー。
【請求項８】
前記掛止部を前記鉄筋に掛止支持せしめた状態下において、前記ブロック支持アームの先端部付近が別の鉄筋に重ね合わされて位置決めされるように該ブロック支持アームの長さが設計されている請求項１乃至７の何れかに記載のコンクリート型枠用スペーサー。
【請求項９】
複数本の鉄筋を組んで配筋した外側にコンクリート型枠を配設することによって形成したコンクリート打設空間に対してコンクリート材料を打ち込んで鉄筋コンクリート構造物を製造するに際して、
配筋した前記鉄筋に対して請求項１乃至８の何れかに記載のコンクリート型枠用スペーサーを装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして前記コンクリート打設空間を形成し、該コンクリート打設空間に対してコンクリート材料を打ち込むことを特徴とする鉄筋コンクリート構造物の製造方法。
【発明の詳細な説明】
【技術分野】
【０００１】
本発明は、鉄筋コンクリート構造物において補強用鉄筋に対するコンクリートのかぶり厚さを設定するためのコンクリート型枠用スペーサーおよびそれを用いた鉄筋コンクリート構造物の製造方法に係り、コンクリートの打設前に補強用鉄筋に対して容易に装着することが可能で、しかも型枠を強固に安定して位置決めすることの出来る、新規な構造のコンクリート型枠用スペーサーと、それを用いた鉄筋コンクリート構造物の新規な製造方法に関するものである。
【背景技術】
【０００２】
従来から、鉄筋コンクリート構造物は、建築構造物や土木構造物などの分野で広く採用されているが、かかる鉄筋コンクリート構造物において目的とする強度と形状を実現するためには、複数本の鉄筋を組んで形成された配筋に対して、その周りを覆うようにコンクリートを打設するに際して、鉄筋の表面からコンクリート表面に至るまでの距離（コンクリートのかぶり厚さ）を精度良く設計値に合わせることが重要となる。
【０００３】
ところで、コンクリートのかぶり厚さを設定するには、予め組まれた鉄筋に対する型枠の相対位置を精度良く設定し、型枠内のコンクリート打設空間に打ち込まれるコンクリートの圧力にも耐え得る強度で型枠を位置決め保持せしめることが必要となる。
【０００４】
そこで、従来から、特許文献１（特開平８−１５１７９３号公報）や特許文献２（特開平９−７２０９３号公報）に記載されているようにセパレータ等のねじロッドとコーン等のねじ止具を用いて型枠を鉄筋に対して固定する方法が提案されているが、構造が複雑で部品点数が多いために施工が面倒で時間がかかるという問題があった。
【０００５】
また、特許文献３（特開平８−２２６１９５号公報）や特許文献４（特開２０００−５４５６５号公報），特許文献５（特開２００２−３３９５１１号公報）に記載されているように、鉄筋に円環状のスペーサーを外嵌装着して、スペーサーの外周面を型枠に当接させることで型枠と鉄筋の離隔距離を設定するものが提案されている。しかしながら、このような円環状のスペーサーは、鉄筋から全周囲に向かって広がる形状を有していることから、かぶり厚さが大きくなって大径化すると全体のサイズが著しく大形化して取り扱いが面倒であり、特に環境問題を考慮してコンクリート製にすると重量が大きくなり過ぎて作業に支障がおよぶという問題もあった。更に、コンクリートの打ち込みに際して打設空間内でのコンクリートの流動性がスペーサーで阻害されてしまって充填不良が発生し易いという問題もあった。
【０００６】
なお、特許文献６（特許第２８７２９９９号公報）や特許文献７（特開２０００−１４５０２１号公報）には、コンクリートブロックに対してばね製金属線材からなる針金状の一対の係止脚部を突出形成し、かかる係止脚部で鉄筋を挟み込むことによって、コンクリートブロックを鉄筋の表面から直接に突出位置せしめて、その先端部分を型枠に当接させることで型枠と鉄筋の離隔距離を設定するようにしたスペーサーが提案されている。
【０００７】
しかしながら、このような係止脚部を備えたコンクリートブロックにおいては、特にかぶり厚さが大きくなった場合にコンクリートブロックが大形化することから、現実的には一対の係止脚部だけで鉄筋に固定することが難しく、結束線を用いて係止脚部を鉄筋に縛り付けるようにして手作業で一個ずつ固定する必要があり、それが工期の長期化を招く一因ともなっていたのである。
【０００８】
また、結束線によって鉄筋に固定しても、円形外周面を有する鉄筋の表面上でスペーサーを特定の位置で特定の方向に向けて強固に固定することが難しかった。すなわち、型枠を設置時にコンクリートブロックを型枠に当接せしめることによって生じる力やコンクリートを型枠に流し込んだときに生じる圧力、コンクリートを型枠内に満遍なく行き渡らせるために加えられる振動等の外力によってスペーサーの設置方向がずれてしまうおそれがあり、場合によっては鉄筋から脱落するおそれがあった。
【０００９】
しかも、針金状の係止脚部に対してコンクリートブロックを強固に固定するためには、針金状の係止脚部を環状等に屈曲させることが必要となり、特にばね鋼で係止脚部が形成されていることから、そのような加工を伴う製造が難しいという問題もあった。
【００１０】
なお、上述の特許文献６や特許文献７に記載されているようにコンクリートブロックから突設した一対の針金状の係止脚部を、鉄筋に対して縛りつけるのに代えて、例えば、それらの係止脚部をフック状に湾曲乃至は屈曲させてフック状係止部と為し、かかるフック状係止部において鉄筋に引っ掛けてコンクリートブロックを支持せしめることも考えられる。ところが、一対の針金状の係止脚部でコンクリートブロックを吊り下げると、コンクリートブロックが一層不安定となって、変位したり傾いたりして目的とするかぶり厚を確保することがより困難となって、何等の解決策にもなり得ない。
【００１１】
【特許文献１】特開平８−１５１７９３号公報
【特許文献２】特開平９−７２０９３号公報
【特許文献３】特開平８−２２６１９５号公報
【特許文献４】特開２０００−５４５６５号公報
【特許文献５】特開２００２−３３９５１１号公報
【特許文献６】特許第２８７２９９９号公報
【特許文献７】特開２０００−１４５０２１号公報
【発明の開示】
【発明が解決しようとする課題】
【００１２】
ここにおいて、本発明は、上述の如き事情を背景として為されたものであって、その解決課題とするところは、鉄筋に対して容易に装着することが可能であり、コンクリートの打設工程においてもその取付位置や取付方向が安定して保たれ得て、目的とするかぶり厚の鉄筋コンクリート構造物を安定して構築することの出来る、新規な構造のコンクリート型枠用スペーサーを提供することにある。
【００１３】
また、本発明は、目的とするかぶり厚さの鉄筋コンクリート構造物を、簡易に且つ速やかに施工することの出来る、鉄筋コンクリート構造物の新規な製造方法を提供することも、目的とする。
【課題を解決するための手段】
【００１４】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１５】
すなわち、本発明の特徴とするところは、所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向先端部が屈曲せしめられて固着部とされており、該固着部に対してコンクリート製のスペーサーブロックが固着されて該スペーサーブロックが該ブロック支持アームの長手方向先端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して前記鉄筋を案内して該鉄筋に掛止支持させることが出来るようになっていると共に、かかる掛止支持状態下で該スペーサーブロックが該鉄筋の配筋面から設定かぶり厚さだけ突出せしめられて該スペーサーブロックの突出先端面によってコンクリート型枠を位置決めすることが出来るようになっていることにある。
【００１６】
このような本発明に従う構造とされたコンクリート型枠用スペーサーにおいては、鉄筋に掛止支持せしめることによって、容易に配筋に対して取り付けることが可能である。特に、ガイドアームとブロック支持アームが拡開形状とされて装着時に鉄筋を案内するようになっていることから、掛止作業を一層速やかに行うことが可能となる。
【００１７】
しかも、支持板金具が長手板形状とされていることによって、掛止状態下において鉄筋への当接面を鉄筋の長手方向に大きく確保することが可能となり、それによって、支持板金具における幅方向のぐらつきが防止されることから、取り付け方向を安定して保つことができる。従って、多くの場合、結束線などの補助的な固定手段を用いる必要がなくなり、そうした補助的な固定作業を省くことが出来て、労力負担が軽減されると共に、作業時間を短縮することができる。
【００１８】
また、かかるコンクリート型枠用スペーサーは、単一の支持板金具にコンクリート製のスペーサーブロックを固着しただけの簡単な構造とされており、容易に且つ安価に製造することが出来る。
【００１９】
しかも、本発明に従う構造とされたコンクリート型枠用スペーサーは、鉄筋コンクリートの構成材料と同様に金属材とコンクリート材で形成されており、従来のスペーサー等のように合成樹脂材料を採用するものでないことから、採用によって、鉄筋コンクリートの強度の低下が大きな問題となることもないし、将来的な解体に際しての処理も容易で資源の再利用も可能となる。
【００２０】
更に、スペーサーブロックの突出方向の長さを変更するだけで、様々な設計かぶり厚さに対応したコンクリート型枠用スペーサーを提供できるのであり、それ故、コンクリート構造物の設計かぶり厚さが大きい場合であっても、スペーサー全体を著しく大型化することなく対応することが可能である。
【００２１】
更にまた、スペーサーブロックはコンクリート製であり、特別に大形なものとしなくとも型枠を位置決めするための充分な強度を有しているため、突出方向に延び出す長細い形状とすることが出来る。しかも、スペーサーブロックは、その内部に金属製の固着部が埋設固着されていることから、この固着部の補強作用によって、小さく且つ細長状であっても、良好な強度を有利に確保することが出来るのである。
【００２２】
また、本発明においては、掛止部の開口部分を絞って、該掛止部の隙間寸法を鉄筋の外径寸法よりも小さくした構成が、好適に採用される。このような構成を採用することによって、コンクリート型枠用スペーサーの配筋への取付状態下で外力が作用した際に、特に、鉛直上向きの外力が加わった場合の配筋からの脱落や傾きを一層効果的に防ぐことが出来る。
【００２３】
更に、本発明において、好適には、前記掛止部を前記鉄筋に掛止支持せしめた状態下において、前記ガイドアームの突出先端部がコンクリート型枠に対して当接せしめられた構成が採用される。このような構成を採用すれば、ガイドアームの突出先端部の型枠への当接によって、設置位置や設置方向をより安定して保持できる。
【００２４】
また、本発明において、好適には、前記掛止部を前記鉄筋に掛止支持せしめた状態下において、前記ブロック支持アームの先端部付近が、例えば該鉄筋に隣接して配されるなどした別の鉄筋に重ね合わされて位置決めされるように該ブロック支持アームの長さが設計されている構成が採用され得る。このような構成においては、スペーサーブロックの基端部分を直接または間接に鉄筋で支持せしめて位置決めすることが出来るのであり、それによってコンクリート型枠用スペーサー全体の鉄筋中心軸回りの回転変位を防止することが可能となる。即ち、配設鉄筋を巧く利用してコンクリート型枠用スペーサーを固定的に位置決め支持させることが出来るのである。
【００２５】
また、本発明においては、前記スペーサーブロックの突出先端面が、平面とされている構成が、好適に採用され得る。このような構成では、スペーサーブロックの突出先端面が型枠に当接せしめられた状態下で、型枠の当接力がスペーサーブロックの中心軸方向に安定して作用せしめられるのであり、それ故、当接力の分力に起因するスペーサーブロックの傾きなどの変位が一層有利に防止され得て、型枠を一層安定して位置決めすることが可能となる。
【００２６】
更にまた、本発明において、好適には、前記ブロック支持アームの先端部において、前記鉄筋に対して係止可能な係止片を該ブロック支持アームによって一体形成した構成が採用され得る。このような構成では、アーム両端を鉄筋に対して直接に支持せしめることが出来、コンクリート型枠用スペーサーの全体を配筋に対してより強固に固定することが出来る。しかも、そのような固定に際して、結束線などの特別な部材も特に必要なく、簡単な構造で作業も容易となる。
【００２７】
また、本発明においては、前記スペーサーブロックが、前記ブロック支持アームの板厚方向両側に向かってそれぞれ突出形成されている構成が、好適に採用され得る。このような構成においては、配筋を挟んで両側に型枠が配されて壁体等を構築する場合において、鉄筋に対して板厚方向両側のかぶり厚さを同時に設定することが可能であり、作業の労力と時間を削減できると共に、必要とされるコンクリート型枠用スペーサーの個数を減らすこともできる。また、スペーサーブロックが長手方向の両先端部分でそれぞれ型枠に当接せしめられることから、スペーサーブロックの装着状態下での安定性の向上も図られ得る。
【００２８】
更に、鉄筋コンクリート構造物の製造方法に関する本発明の特徴とするところは、複数本の鉄筋を組んで配筋した外側にコンクリート型枠を配設することによって形成したコンクリート打設空間に対してコンクリート材料を打ち込んで鉄筋コンクリート構造物を製造するに際して、配筋した前記鉄筋に対して、上述の如き本発明に従う構造とされたコンクリート型枠用スペーサーを装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして該コンクリート打設空間を形成し、該コンクリート打設空間に対してコンクリート材料を打ち込むようにしたことにある。
【００２９】
このような本発明の方法に従えば、補強用鉄筋に対するコンクリートのかぶり厚さを精度良く設計値に合わせることができて、目的の強度及び耐久性を備えた鉄筋コンクリート構造物を安定して実現できる。
【発明の効果】
【００３０】
上述の説明から明らかなように、本発明に従う構造とされたコンクリート型枠用スペーサーにおいては、鉄筋に対して容易に装着することが可能であり、コンクリートの打設工程においてもその取付位置や取付方向が安定して保たれ得る。
【００３１】
また、鉄筋コンクリート構造物の製造に、かかる本発明に従う構造とされたコンクリート型枠用スペーサーを用いることによって、目的とするかぶり厚さの鉄筋コンクリート構造物を安定して構築することが出来る。
【発明を実施するための最良の形態】
【００３２】
以下、本発明を更に具体的に明らかにするために、本発明の実施形態について、図面を参照しつつ、詳細に説明する。
【００３３】
先ず、図１から図７には、本発明の第一の実施形態としてコンクリート型枠用スペーサー１０が示されている。コンクリート型枠用スペーサー１０は、支持板金具１２にスペーサーブロック１４が固設されて構成されている。なお、以下の説明において上下方向とは図１における左右方向を、左右方向とは図１における上下方向を、更に前後方向とは図３における上下方向をそれぞれ言う。
【００３４】
より詳細には、支持板金具１２は所定幅の長手形状を有する金属板材であって、上部が上段鉄筋３２の外周面に沿うように湾曲状に折り返されて掛止部１６が形成されている。かかる掛止部１６は、全体としてヘアピン状に湾曲形成されており、掛止部１６から略同じ側に延び出す部分によって、ブロック支持アーム１８とガイドアーム２０が対向位置して形成されている。なお、掛止部１６の開口部分を絞ることでブロック支持アーム１８とガイドアーム２０の対向面間距離：Ｃが：上段鉄筋３２の外径寸法：Ｄより小さくされており、絞り形状の係止部２２が形成されている。
【００３５】
ここにおいて、掛止部１６の上端からブロック支持アーム１８の下端までの鉛直方向距離が上段鉄筋３２と下段鉄筋３４の鉄筋間隔に略等しくされている。そして、ブロック支持アーム１８の下端付近が鉄筋当接部２８とされている。また、ブロック支持アーム１８の下端部が、ブロック支持アーム１８に対してガイドアーム２０の配設側と反対側へ略直角に屈曲せしめられて、屈曲部２６が形成されている。
【００３６】
そして、かかる屈曲部２６に対して、スペーサーブロック１４が固着されている。このスペーサーブロック１４は、略円柱形状のコンクリート塊であって、その軸方向一方の端面から屈曲部２６が入り込み、スペーサーブロック１４の軸方向中間部分から先端部近くに至るまで埋設固着されている。
【００３７】
なお、スペーサーブロック１４は、屈曲部２６と同様に、ブロック支持アーム１８から略直角に板厚方向一方の側に突出して形成されている。特に本実施形態では、スペーサーブロック１４は、ガイドアーム２０の位置する側と反対側に向かって突出している。また、スペーサーブロック１４の突出先端面は、所定面積で軸直角方向に広がる円形の平坦面形状を有する型枠当接面３０とされている。
【００３８】
一方、ガイドアーム２０は、ブロック支持アーム１８に対して、その先端に向けて徐々に離隔する拡開形状とされており、その先端部が型枠当接部２４とされている。特に本実施形態では、ガイドアーム２０が、ブロック支持アーム１８側に向かって凸となる緩い湾曲形状とされており、先端部分において、ブロック支持アーム１８との間で大きく開口せしめられている。
【００３９】
上述の如き構造とされたコンクリート型枠用スペーサー１０は、例えば、プレス加工等で素板を打抜加工することにより、長手平板形状の金属基材プレートを得て、この金属基材プレートを塑性加工して、上述の如き掛止部１６とブロック支持アーム１８，ガイドアーム２０を形成する。また、かかる塑性加工する前、或いは塑性加工した後の工程で、所定の成形型枠を準備し、かかる成形型枠内に金属基材プレートの一端部における屈曲部２６を差し入れ、かかる成形型枠にモルタルを充填して養生することで、スペーサーブロック１４を形成すると同時に、屈曲部２６に対して固着せしめる。これによって、目的とするコンクリート型枠用スペーサー１０を得ることが出来る。
【００４０】
なお、かかる製造に際して、スペーサーブロック１４の成形型枠としては、例えば塩化ビニル製のパイプなどを採用することが出来る。
【００４１】
そして、このような構造とされたコンクリート型枠用スペーサー１０は、例えば、図７に示されているように、掛止部１６を水平方向に延びる上段鉄筋３２に掛止せしめられて、ブロック支持アーム１８が略鉛直下方に垂れ下がる状態で、配筋に取り付られる。特に本実施形態では、図示されているように、そのような装着状態下、鉄筋当接部２８が下段鉄筋３４に当接せしめられている一方、型枠当接面３０及び型枠当接部２４が型枠３６，３８の内面にそれぞれ当接せしめられる。
【００４２】
かかるコンクリート型枠用スペーサー１０は、ブロック支持アーム１８とガイドアーム２０の拡開部分によって掛止部１６に対して上段鉄筋３２を案内することで、掛止部１６によって上段鉄筋３２に掛止支持せしめて容易に取り付け可能とされている。更に、コンクリート打設工程において、外力がコンクリート型枠用スペーサー１０に作用した際にも、支持板金具１２が所定幅の板金具で形成されていることにより、コンクリート型枠用スペーサー１０の鉄筋に対するぐらつきが効果的に防止されるようになっている。特に本実施形態では、掛止部１６による掛止と、係止部２２による係止と、鉄筋当接部２８による当接によって、配筋に対して強固に固定されて取り付けられていることから、設置位置や設置方向を安定して保持することが可能である。
【００４３】
具体的には、型枠３６，３８に対して略平行な方向の掛止部１６を回動軸とする回動が生じた際、支持板金具１２が所定幅を有した板形状とされていることで、左右方向のぐらつきを防ぐことが出来る。更に、掛止部１６による上段鉄筋３２への掛止によって、鉛直下向きの外力が加わった場合に取付状態が保持され得る一方、係止部２２による係止によって、鉛直上向きの外力が作用した場合においても、コンクリート型枠用スペーサー１０が配筋から脱落することが防止されて、取付状態が保たれることとなる。更に、鉄筋当接部２８による下段鉄筋３４への当接によって、上段鉄筋３２を回転軸とした回転力が作用した場合において、スペーサーブロック１４の突出先端が下方向を向いてしまうことが防止される。
【００４４】
さらに、型枠当接部２４が型枠３８の内面に当接せしめられていることにより、その設置方向のずれをより効果的に防止できる。
【００４５】
また、型枠３６の内面に当接せしめられている型枠当接面３０が平坦面とされていることで、型枠３６への当接時においてコンクリート型枠用スペーサー１０の設置方向のずれを防ぐことが可能となっており、型枠３６を精度良く、安定して位置決めすることができる。
【００４６】
更にまた、掛止部１６とブロック支持アーム１８およびガイドアーム２０は、それらの相互の部位間において、また各部位の全長において、一定の幅寸法である必要はないが、本実施形態のように、それら掛止部１６とブロック支持アーム１８およびガイドアーム２０を実質的に全長に亘って且つ相互間においても略一定の幅寸法で形成することにより製造が一層容易となる。
【００４７】
なお、特に掛止部１６においては、鉄筋に対する安定した位置決め機能を有効に得るために、その幅寸法：Ｂを、１０ｍｍ≦Ｂとすることが望ましく、より好適には１５ｍｍ≦Ｂとされる。一方、余り幅寸法が大き過ぎると取扱いに支障をきたすおそれがあると共に、係止作業も難しくなることから、掛止部１６とブロック支持アーム１８およびガイドアーム２０の全長に亘って、その幅寸法：Ｂを５０ｍｍ≧Ｂとすることが望ましく、より好適には３０ｍｍ≧Ｂとされる。
【００４８】
また、掛止部１６は、掛止装置する鉄筋の外径寸法に応じて曲率半径を変更することが望ましく、例えば掛止部１６の曲率半径を異ならせた複数種類のものを予め準備しておくことも有効である。尤も、掛止部１６は板金具で形成されていることから、鉄筋外径との多少の不一致は、掛止部１６を現場で変形させることで対応することも可能である。
【００４９】
更にまた、スペーサーブロック１４の基端部分が鉄筋で支持せしめられるようにブロック支持アーム１８の長手方向寸法は、鉄筋の配設ピッチに応じて設定することが望ましく、例えば長手方向寸法を異ならせたブロック支持アーム１８を備えた複数種類のものを予め準備しておくことも有効である。尤も、ブロック支持アーム１８の長手方向の中間部分を鉄筋で支持せしめた状態で装着することによっても、コンクリート型枠用スペーサー１０の安定化は図られ得ることから、最小配筋ピッチの長さ以上、例えば２倍，或いは３倍以上の長さを有するブロック支持アーム１８を、各種の鉄筋間隔の配筋に対して汎用的に用いるようにしても良い。
【００５０】
次に、図８から図１５には第二の実施形態としてのコンクリート型枠用スペーサー４０が示されている。なお、本実施形態において、第一の実施形態と同様な構造とされた部材及び部位については、それぞれ、図中に第一の実施形態と同一の符号を付すことにより、それらの詳細な説明を省略する。
【００５１】
すなわち、本実施形態のコンクリート型枠用スペーサー４０は、第一の実施形態のコンクリート型枠用スペーサー１０と比して、ブロック支持アーム１８の下端部において、係止片４２をブロック支持アーム１８によって一体形成する。
【００５２】
ここにおいて、本実施形態では、図１５に示す通り、コンクリート型枠用スペーサー４０は、掛止部１６を上段鉄筋３２に掛止支持させて配筋に取付られる一方、鉄筋当接部２８が下段鉄筋３４に当接せしめられていると共に、係止片４２を下段鉄筋３４に係止させている。また、型枠当接面３０及び型枠当接部２４が型枠３６，３８の内面にそれぞれ当接せしめられている。なお、係止片４２は、現場において下段鉄筋３４に係止させた後に、手作業で外力を加えて下段鉄筋３４の外周に巻き付けるように変形させても良く、それによって、一層大きな係止固定強度を得ることが可能である。
【００５３】
このような構成とされたコンクリート型枠用スペーサー４０においても、第一の実施形態のコンクリート型枠用スペーサー（１０）と同様の効果を得ることができる。しかも、係止片４２を下段鉄筋３４に係止せしめることで、上段鉄筋３２を回転軸とした回転力が作用した場合において、スペーサーブロック１４の突出先端が上方にずれることを防ぐことが出来、コンクリート型枠用スペーサー４０の設置位置及び設置方向をより一層安定して保持することが可能とされている。
【００５４】
具体的には、係止片４２を下段鉄筋３４に係止せしめることで、ブロック支持アーム１８とガイドアーム２０の拡開部分によって掛止部１６に対して上段鉄筋３２を案内することで、掛止部１６によって上段鉄筋３２に掛止支持せしめて容易に取り付け可能とされている。更に、コンクリート打設工程において、外力がコンクリート型枠用スペーサー１０に作用した際にも、掛止部１６による掛止と、係止部２２による係止と、鉄筋当接部２８による当接によって、配筋に強固に取り付けられて、設置位置や設置方向を安定して保持することが可能である。
【００５５】
続いて、図１６には、第三の実施形態としてのコンクリート型枠用スペーサー５０が示されている。なお、本実施形態において、第一の実施形態と同様な構造とされた部材及び部位については、それぞれ、図中に第一の実施形態と同一の符号を付すことにより、それらの詳細な説明を省略する。
【００５６】
即ち、本実施形態のコンクリート型枠用スペーサー５０は、第一乃至第二の実施形態のコンクリート型枠用スペーサー１０，４０と比して、スペーサーブロック５２がブロック支持アーム１８の板厚方向両側に突出せしめられている。また、ブロック支持アーム１８の下端部においてブロック支持アーム１８と一体的に固着部５４，５６が形成されており、かかる固着部５４，５６に対してスペーサーブロック５２が固着せしめられることでスペーサーブロック５２がブロック支持アーム１８の下端に取り付けられている。
【００５７】
ここにおいて、本実施形態では、図１６に示すように、型枠３６，３８を同時に位置決め支持することが可能である。これにより、配筋の両側のかぶり厚さを、略半分のスペーサー使用数で、それぞれ精度良く設定することが可能となり、作業量を減らすことが出来て、工期の短縮を実現できる。
【００５８】
以上、本発明の幾つかの実施形態について詳述してきたが、これらはあくまでも例示であって、本発明はかかる実施形態における具体的な記載によって、何等限定的に解釈されるものではない。
【００５９】
例えば、前記実施形態においては、スペーサーブロック１４の形状を横向きの略円柱形状としたが、スペーサーブロック１４の形状は本実施形態のものに限定されない。具体的には、例えば、直方体のスペーサーブロックを用いても良い。
【００６０】
更に、前記第一乃至第二の実施形態では、スペーサーブロック１４をガイドアーム２０の配設方向と反対側に向かって突出形成したが、例えば、同じ側に突出形成してもよく、具体的には、図１７に示されているような構造が採用され得る。
【００６１】
また、第二の実施形態では、ブロック支持アーム１８の下端において係止片４２を屈曲部２６と別に設けたが、例えば、図１８に示すように、屈曲部２６を折り返して、その折り返し部分をスペーサーブロック１４の外部に露出させ、かかる露出部分を係止片とする構成も好適に採用され得る。
【００６２】
更に、第二の実施形態においては、係止片４２を下段鉄筋３４の外周面に沿うように湾曲せしめて、下段鉄筋３４に係止することで、設置位置及び設置方向を所期の状態に保持したが、係止片４２は、必ずしも下段鉄筋３４に係止せしめる必要はない。具体的には、例えば、図１９に示されているような構造が好適に採用される。即ち、係止片４２をスペーサーブロック１４の突出方向と反対に屈曲させて、その先端を型枠３８の内面に当接支持せしめることによって、設置位置及び設置方向の保持を実現することも出来る。
【００６３】
更にまた、第三の実施形態では、ブロック支持アーム１８の下端部に固着部５４，５６をブロック支持アーム１８と一体的に形成したが、ブロック支持アーム１８下部の形状はかかる実施形態のものに限定されない。具体的には、例えば、ブロック支持アーム１８の下端部に更に係止片５８を形成した構成が採用され得る。すなわち、図２１に示すように、固着部５４，５６に固着せしめられたスペーサーブロック５２を、ブロック支持アーム１８の板厚方向両側に突出せしめると共に、係止片５８をスペーサーブロック５２の下方で下段鉄筋３４に係止せしめる。これにより、必要なスペーサー数の減少によって作業時間が短縮されるだけでなく、設置位置や設置方向がより安定して強固に固定されることによって、所期の設定かぶり厚さをより精度良く得ることが可能となるのである。
【００６４】
また、前記実施形態では、配筋の両側にそれぞれ型枠が配設される態様について説明したが、例えば法面保護のコンクリート壁の構築や、スラブの打設等のように一方の面だけが型枠で構成されるコンクリート構築物の製造に際しても、本発明に従う構造とされたコンクリート型枠用スペーサーおよび本発明方法が、適用可能である。
【００６５】
更にまた、本発明におけるブロック支持アームは必ずしも全長に渡って直線的に延びている必要はなく、例えば図３に示されたコンクリート型枠用スペーサ１０のブロック支持アーム１８の先端近くを湾曲させて、図２１に示されているように、鉛直上下に配列されている鉄筋ではなくて水平方向に配列されている鉄筋３２，３２を利用してそれらの鉄筋３２，３２間に水平方向に跨がるようにして係止されるコンクリート型枠用スペーサ６０を実現することも可能である。なお、図２１では、第一の実施形態と同様な構造とされた部材および部位に対して、それぞれ、第一の実施形態と同一の符号を付することにより、その詳細な説明を省略する。
【００６６】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６７】
【図１】本発明の第一の実施形態としてのコンクリート型枠用スペーサーを示す正面図である。
【図２】図１に示されたコンクリート型枠用スペーサーを示す背面図である。
【図３】図１に示されたコンクリート型枠用スペーサーを示す右側面図である。
【図４】図１に示されたコンクリート型枠用スペーサーを示す平面図である。
【図５】図１に示されたコンクリート型枠用スペーサーを示す底面図である。
【図６】図１に示されたコンクリート型枠用スペーサーを示す斜視図である。
【図７】図１に示されたコンクリート型枠用スペーサーの取付状態を示す側面図である。
【図８】本発明の第二の実施形態としてのコンクリート型枠用スペーサーを示す正面図である。
【図９】図７に示されたコンクリート型枠用スペーサーを示す背面図である。
【図１０】図７に示されたコンクリート型枠用スペーサーを示す右側面図である。
【図１１】図７に示されたコンクリート型枠用スペーサーを示す左側面図である。
【図１２】図７に示されたコンクリート型枠用スペーサーを示す平面図である。
【図１３】図７に示されたコンクリート型枠用スペーサーを示す正面図である。
【図１４】図７に示されたコンクリート型枠用スペーサーを示す斜視図である。
【図１５】図８に示されたコンクリート型枠用スペーサーの取付状態を示す側面図である。
【図１６】本発明の第三の実施形態としてのコンクリート型枠用スペーサーの取付状態を示す側面図である。
【図１７】本発明の第一及び第二の実施形態におけるコンクリート型枠用スペーサーにおける一具体例の取付状態を示す側面図である。
【図１８】本発明の第二の実施形態としてのコンクリート型枠用スペーサーの一具体例の取付状態を示す側面図である。
【図１９】本発明の第二の実施形態としてのコンクリート型枠用スペーサーの別の一具体例の取付状態を示す側面図である。
【図２０】本発明の第三の実施形態としてのコンクリート型枠用スペーサーの別の一具体例の取付状態を示す側面図である。
【図２１】本発明の更に別の実施形態としてのコンクリート型枠用スペーサーの取付状態例を示す側面図である。
【符号の説明】
【００６８】
１０  コンクリート型枠用スペーサー
１２  支持板金具
１４  スペーサーブロック
１６  掛止部
１８  ブロック支持アーム
２０  ガイドアーム
２６  固着部
３２  上段鉄筋
３４  下段鉄筋
３６  型枠
３８  型枠
【図１】
2005264436.tif 000003
【図２】
2005264436.tif 000004
【図３】
2005264436.tif 000005
【図４】
2005264436.tif 000006
【図５】
2005264436.tif 000007
【図６】
2005264436.tif 000008
【図７】
2005264436.tif 000009
【図８】
2005264436.tif 000010
【図９】
2005264436.tif 000011
【図１０】
2005264436.tif 000012
【図１１】
2005264436.tif 000013
【図１２】
2005264436.tif 000014
【図１３】
2005264436.tif 000015
【図１４】
2005264436.tif 000016
【図１５】
2005264436.tif 000017
【図１６】
2005264436.tif 000018
【図１７】
2005264436.tif 000019
【図１８】
2005264436.tif 000020
【図１９】
2005264436.tif 000021
【図２０】
2005264436.tif 000022
【図２１】
2005264436.tif 000023
【手続補正書】
【提出日】平成16年10月18日(2004.10.18)
【手続補正１】
【補正対象書類名】特許請求の範囲
【補正対象項目名】全文
【補正方法】変更
【補正の内容】
【特許請求の範囲】
【請求項１】
所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向下端部が略直角に屈曲せしめられて固着部とされており、該固着部に対してコンクリート製のスペーサーブロックが固着されて該スペーサーブロックが該ブロック支持アームの長手方向下端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して上段鉄筋を案内して該上段鉄筋に掛止支持させることが出来るようになっていると共に、かかる掛止支持状態下で該スペーサーブロックが鉄筋の配筋面から設定かぶり厚さだけ突出せしめられて該スペーサーブロックの突出先端面によってコンクリート型枠を位置決めすることが出来るようになっており、更に前記支持板金具には、前記スペーサーブロックが固着されたブロック支持アームの長手方向下端部から突出して、前記上段鉄筋の下方に位置して該上段鉄筋と共に水平方向に延びる下段鉄筋に対して係止せしめられる係止片が一体形成されていることを特徴とするコンクリート型枠用スペーサー。
【請求項２】
前記係止片が、前記下段鉄筋の外周に巻き付けるように変形可能とされている請求項１に記載のコンクリート型枠用スペーサー。
【請求項３】
前記掛止部の開口部分を絞って、該掛止部の開口部分の隙間寸法を前記鉄筋の外径寸法よりも小さくした請求項１又は２に記載のコンクリート型枠用スペーサー。
【請求項４】
前記掛止部を前記鉄筋に掛止支持せしめた状態下において、前記ガイドアームの突出先端部がコンクリート型枠に対して当接せしめられるようになっている請求項１乃至３の何れかに記載のコンクリート型枠用スペーサー。
【請求項５】
前記スペーサーブロックの突出先端面が、平面とされている請求項１乃至４の何れかに記載のコンクリート型枠用スペーサー。
【請求項６】
前記スペーサーブロックが、前記支持アームに対して前記ガイドアームの配設側と反対側に向かって突出形成されている請求項１乃至５の何れかに記載のコンクリート型枠用スペーサー。
【請求項７】
前記スペーサーブロックが、前記ブロック支持アームの板厚方向両側に向かってそれぞれ突出形成されている請求項１乃至６の何れかに記載のコンクリート型枠用スペーサー。
【請求項８】
前記掛止部を前記鉄筋に掛止支持せしめた状態下において、前記ブロック支持アームの下端部付近が別の鉄筋に重ね合わされて位置決めされるように該ブロック支持アームの長さが設計されている請求項１乃至７の何れかに記載のコンクリート型枠用スペーサー。
【請求項９】
複数本の鉄筋を組んで配筋した外側にコンクリート型枠を配設することによって形成したコンクリート打設空間に対してコンクリート材料を打ち込んで鉄筋コンクリート構造物を製造するに際して、
配筋した前記鉄筋に対して請求項１乃至８の何れかに記載のコンクリート型枠用スペーサーを、前記掛止部を上段鉄筋に掛止すると共に、該上段鉄筋の下方で該上段鉄筋と共に水平歩行に延びる下段鉄筋に対して前記係止部を係止させることにより装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして前記コンクリート打設空間を形成し、該コンクリート打設空間に対してコンクリート材料を打ち込むことを特徴とする鉄筋コンクリート構造物の製造方法。
【手続補正２】
【補正対象書類名】明細書
【補正対象項目名】００１５
【補正方法】変更
【補正の内容】
【００１５】
すなわち、本発明の特徴とするところは、所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向下端部が略直角に屈曲せしめられて固着部とされており、該固着部に対してコンクリート製のスペーサーブロックが固着されて該スペーサーブロックが該ブロック支持アームの長手方向下端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して上段鉄筋を案内して該上段鉄筋に掛止支持させることが出来るようになっていると共に、かかる掛止支持状態下で該スペーサーブロックが鉄筋の配筋面から設定かぶり厚さだけ突出せしめられて該スペーサーブロックの突出先端面によってコンクリート型枠を位置決めすることが出来るようになっており、更に前記支持板金具には、前記スペーサーブロックが固着されたブロック支持アームの長手方向下端部から突出して、前記上段鉄筋の下方に位置して該上段鉄筋と共に水平方向に延びる下段鉄筋に対して係止せしめられる係止片が一体形成されているコンクリート型枠用スペーサーにある。
【手続補正３】
【補正対象書類名】明細書
【補正対象項目名】００２８
【補正方法】変更
【補正の内容】
【００２８】
更に、鉄筋コンクリート構造物の製造方法に関する本発明の特徴とするところは、複数本の鉄筋を組んで配筋した外側にコンクリート型枠を配設することによって形成したコンクリート打設空間に対してコンクリート材料を打ち込んで鉄筋コンクリート構造物を製造するに際して、配筋した前記鉄筋に対して、上述の如き本発明に従う構造とされたコンクリート型枠用スペーサーを、前記掛止部を上段鉄筋に掛止すると共に、該上段鉄筋の下方で該上段鉄筋と共に水平方向に延びる下段鉄筋に対して前記係止部を係止させることにより装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして前記コンクリート打設空間を形成し、該コンクリート打設空間に対してコンクリート材料を打ち込むようにしたことにある。
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向下端部が略直角に屈曲せしめられて固着部とされており、該固着部に対してコンクリート製のスペーサーブロックが固着されて該スペーサーブロックが該ブロック支持アームの長手方向下端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して上段鉄筋を案内して該上段鉄筋に掛止支持させることが出来るようになっていると共に、かかる掛止支持状態下で該スペーサーブロックが鉄筋の配筋面から設定かぶり厚さだけ突出せしめられて該スペーサーブロックの突出先端面によってコンクリート型枠を位置決めすることが出来るようになっており、更に前記支持板金具には、前記スペーサーブロックが固着されたブロック支持アームの長手方向下端部から突出して、手作業で外力を加えることで前記上段鉄筋の下方に位置して該上段鉄筋と共に水平方向に延びる下段鉄筋の外周に巻き付けるように変形可能とされて該下段鉄筋に対して係止せしめられる係止片が一体形成されていることを特徴とするコンクリート型枠用スペーサー。
【請求項２】
前記掛止部の開口部分を絞って、該掛止部の開口部分の隙間寸法を前記鉄筋の外径寸法よりも小さくした請求項１に記載のコンクリート型枠用スペーサー。
【請求項３】
前記掛止部を前記鉄筋に掛止支持せしめた状態下において、前記ガイドアームの突出先端部がコンクリート型枠に対して当接せしめられるようになっている請求項１又は２に記載のコンクリート型枠用スペーサー。
【請求項４】
前記スペーサーブロックの突出先端面が、平面とされている請求項１乃至３の何れかに記載のコンクリート型枠用スペーサー。
【請求項５】
前記スペーサーブロックが、前記支持アームに対して前記ガイドアームの配設側と反対側に向かって突出形成されている請求項１乃至４の何れかに記載のコンクリート型枠用スペーサー。
【請求項６】
前記スペーサーブロックが、前記ブロック支持アームの板厚方向両側に向かってそれぞれ突出形成されている請求項１乃至５の何れかに記載のコンクリート型枠用スペーサー。
【請求項７】
前記掛止部を前記鉄筋に掛止支持せしめた状態下において、前記ブロック支持アームの下端部付近が別の鉄筋に重ね合わされて位置決めされるように該ブロック支持アームの長さが設計されている請求項１乃至６の何れかに記載のコンクリート型枠用スペーサー。
【請求項８】
複数本の鉄筋を組んで配筋した外側にコンクリート型枠を配設することによって形成したコンクリート打設空間に対してコンクリート材料を打ち込んで鉄筋コンクリート構造物を製造するに際して、
配筋した前記鉄筋に対して請求項１乃至７の何れかに記載のコンクリート型枠用スペーサーを、前記掛止部を上段鉄筋に掛止すると共に、該上段鉄筋の下方で該上段鉄筋と共に水平歩行に延びる下段鉄筋に対して前記係止部を手作業で外力を加えることで巻き付けるように係止させることにより装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして前記コンクリート打設空間を形成し、該コンクリート打設空間に対してコンクリート材料を打ち込むことを特徴とする鉄筋コンクリート構造物の製造方法。
【手続補正２】
【補正対象書類名】明細書
【補正対象項目名】００１５
【補正方法】変更
【補正の内容】
【００１５】
すなわち、本発明の特徴とするところは、所定幅の長手板形状を有する支持板金具が長手方向中間部分において湾曲状に折り返されて掛止部が形成されている一方、該掛止部から延び出した一対の折り返し部分によってブロック支持アームとガイドアームが形成されていると共に、該ブロック支持アームの長手方向下端部が略直角に屈曲せしめられて固着部とされており、該固着部に対してコンクリート製のスペーサーブロックが固着されて該スペーサーブロックが該ブロック支持アームの長手方向下端部から略直角に突出せしめられている一方、該ガイドアームが長手方向先端側に向かって該ブロック支持アームから離隔する拡開形状とされており、該ガイドアームと該ブロック支持アームの拡開部分によって該掛止部に対して上段鉄筋を案内して該上段鉄筋に掛止支持させることが出来るようになっていると共に、かかる掛止支持状態下で該スペーサーブロックが鉄筋の配筋面から設定かぶり厚さだけ突出せしめられて該スペーサーブロックの突出先端面によってコンクリート型枠を位置決めすることが出来るようになっており、更に前記支持板金具には、前記スペーサーブロックが固着されたブロック支持アームの長手方向下端部から突出して、手作業で外力を加えることで前記上段鉄筋の下方に位置して該上段鉄筋と共に水平方向に延びる下段鉄筋の外周に巻き付けるように変形可能とされて該下段鉄筋に対して係止せしめられる係止片が一体形成されているコンクリート型枠用スペーサーにある。
【手続補正３】
【補正対象書類名】明細書
【補正対象項目名】００２８
【補正方法】変更
【補正の内容】
【００２８】
更に、鉄筋コンクリート構造物の製造方法に関する本発明の特徴とするところは、複数本の鉄筋を組んで配筋した外側にコンクリート型枠を配設することによって形成したコンクリート打設空間に対してコンクリート材料を打ち込んで鉄筋コンクリート構造物を製造するに際して、配筋した前記鉄筋に対して、上述の如き本発明に従う構造とされたコンクリート型枠用スペーサーを、前記掛止部を上段鉄筋に掛止すると共に、該上段鉄筋の下方で該上段鉄筋と共に水平歩行に延びる下段鉄筋に対して前記係止部を手作業で外力を加えることで巻き付けるように係止させることにより装着して、該コンクリート型枠用スペーサーの前記スペーサーブロックの突出先端面を前記コンクリート型枠の内面に当接させることにより該コンクリート型枠を該鉄筋に対して所定距離を隔てて位置決めして前記コンクリート打設空間を形成し、該コンクリート打設空間に対してコンクリート材料を打ち込むようにしたことにある。